(57)【特許請求の範囲】
【請求項１】
炊飯器本体と、この炊飯器本体の内部に収納され米と水を入れる鍋と、前記炊飯器本体内に設けた蒸気を生成する容器と、この容器を加熱する容器加熱コイルと、前記鍋の側面を加熱する側面加熱コイルと、前記容器加熱コイルと側面加熱コイルに高周波電流を供給するインバータ回路とを備え、前記容器加熱コイルと側面加熱コイルとを直列に接続し、かつそれぞれお互いの低周波漏洩磁界を打ち消すべく高周波電流を逆向きに流すように接続した誘導加熱式炊飯器。
【請求項２】
炊飯器本体と、この炊飯器本体の内部に収納され米と水を入れる鍋と、前記炊飯器本体内に設けた蒸気を生成する容器と、この容器を加熱する容器加熱コイルと、前記鍋の側面を加熱する側面加熱コイルと、前記容器加熱コイルと側面加熱コイルに高周波電流を供給するインバータ回路とを備え、前記容器加熱コイルと側面加熱コイルとを並列に接続し、かつそれぞれお互いの低周波漏洩磁界を打ち消すべく高周波電流を逆向きに流すように接続した誘導加熱式炊飯器。
【発明の詳細な説明】
【技術分野】
【０００１】
本発明は、鍋と蒸気を生成する容器を誘導加熱により加熱する誘導加熱式炊飯器に関するものである。
【背景技術】
【０００２】
従来、炊飯器は、炊飯終了時や保温時に、蓋部分や鍋の側面やに水分が結露し、その露がご飯に滴下して白化やべちゃつきとならないように、蓋を加熱する蓋加熱手段と鍋の側面部を加熱する側面加熱手段を有している（例えば、特許文献１参照）。
【０００３】
その蓋加熱手段と側面加熱手段を、加熱コイルから発生する磁界により蓋や鍋の側面を誘導加熱する方式、すなわち、蓋を誘導加熱する蓋加熱コイルと、鍋の側面を誘導加熱する側面加熱コイルと、この蓋加熱コイルと側面加熱コイルに高周波電流を供給するインバータ回路を備えることは公知である（例えば、特許文献２参照）。
【０００４】
また、鍋と、この鍋を加熱する鍋加熱手段と、鍋の開口部を覆う蓋と、蒸気発生手段とを備え、蒸気発生手段は水タンクと水タンク加熱手段を有しているものもある（例えば、特許文献３参照）。
【０００５】
一方、このように誘導加熱により鍋や水タンクを加熱する場合、加熱コイルから発生する漏洩磁界が人体には好ましくない影響があることを懸念する報告がされており、社会的にその関心が高まっている。
【０００６】
この漏洩磁界の中でも低周波領域の漏洩磁界を効果的に低減する方法として、加熱コイルを渦巻状に巻かれた加熱用コイルと、この加熱用コイルの外周側で直列に接続されかつこの加熱用コイルと逆向きに巻かれ、逆向きの電流を流す漏洩磁界キャンセル用コイルとで構成することにより、外部へ漏洩する磁界を低減する方法が開示されている（例えば、特許文献４参照）。
【特許文献１】特公平８−１３２８９号公報
【特許文献２】特開平５−２６１０１９号公報
【特許文献３】特開２００３−１４４３１２号公報
【特許文献４】特開２００３−１４４３０８号公報
【発明の開示】
【発明が解決しようとする課題】
【０００７】
しかしながら、上記従来例の構成では、容器（水タンク）を加熱する容器加熱コイルと鍋の側面を加熱する側面加熱コイルから発生する漏洩磁界を低減するために、容器加熱コイルと逆向きに巻かれ、逆向きの電流を流す漏洩磁界キャンセル用コイルを備え、また側面加熱コイルと逆向きに巻かれ、逆向きの電流を流す漏洩磁界キャンセル用コイルを備える必要があった。
【０００８】
このとき、それぞれの加熱用コイルと漏洩磁界キャンセル用コイルとの距離が近接しすぎると、それぞれのコイルから発生する磁界が逆向きになるため、本来容器や鍋の側面を加熱する磁界を互いに打ち消しあってしまう。したがって、漏洩磁界キャンセル用コイルは、容器や鍋側面の加熱には寄与せず、逆に加熱効率を低下させるものとなる。
【０００９】
また、容器や鍋側面を加熱する磁界を打ち消さないようにそれぞれの漏洩磁界キャンセル用コイルを配置するには、それぞれの加熱コイルからある程度の距離を確保する必要があり、炊飯器本体の外形が大きくなるという問題を有していた。
【００１０】
本発明は上記従来の課題を解決するもので、炊飯器本体の外形を大きくすることなく、また容器と鍋側面の加熱効率を下げずに、安価で効果的に容器加熱コイルと側面加熱コイルから発生する低周波領域の漏洩磁界を低減できる誘導加熱式炊飯器を提供することを目的とする。
【課題を解決するための手段】
【００１１】
本発明は上記目的を達成するために、炊飯器本体の内部に米と水を入れる鍋を収納し、この炊飯器本体内に蒸気を生成する容器を設け、この容器を加熱する容器加熱コイルと鍋の側面を加熱する側面加熱コイルにインバータ回路より高周波電流を供給するよう構成し、容器加熱コイルと側面加熱コイルとを直列に接続し、かつそれぞれお互いの低周波漏洩磁界を打ち消すべく高周波電流を逆向きに流すように接続したものである。
【００１２】
これにより、容器加熱コイルと側面加熱コイルから発生する低周波漏洩磁界が逆向きになっているため、互いに低周波漏洩磁界を打ち消すことができ、炊飯器本体の外形を大きくすることなく、また容器と鍋側面の加熱効率を下げずに、安価で効果的に容器加熱コイルと側面加熱コイルから発生する低周波領域の漏洩磁界を低減することができる。
【発明の効果】
【００１３】
本発明の誘導加熱式炊飯器は、容器加熱コイルと側面加熱コイルがそれぞれ互いの低周波漏洩磁界を打ち消しあうので、新たな漏洩磁界キャンセル用のコイルを必要とせず、炊飯器本体の外形を大きくすることなく、また容器と鍋側面の加熱効率を下げずに、低周波漏洩磁界を低減することができる。
【発明を実施するための最良の形態】
【００１４】
第１の発明は、炊飯器本体と、この炊飯器本体の内部に収納され米と水を入れる鍋と、前記炊飯器本体内に設けた蒸気を生成する容器と、この容器を加熱する容器加熱コイルと、前記鍋の側面を加熱する側面加熱コイルと、前記容器加熱コイルと側面加熱コイルに高周波電流を供給するインバータ回路とを備え、前記容器加熱コイルと側面加熱コイルとを直列に接続し、かつそれぞれお互いの低周波漏洩磁界を打ち消すべく高周波電流を逆向きに流すように接続したものであり、容器加熱コイルと側面加熱コイルから発生する低周波漏洩磁界が逆向きになっているため、互いに低周波漏洩磁界を打ち消すことができ、容器加熱コイルと側面加熱コイルのそれぞれに漏洩磁界キャンセル用のコイルを必要とせず、炊飯器本体の外形を大きくすることなく、低周波漏洩磁界を低減できる誘導加熱式炊飯器を提供することができる。
【００１５】
第２の発明は、炊飯器本体と、この炊飯器本体の内部に収納され米と水を入れる鍋と、前記炊飯器本体内に設けた蒸気を生成する容器と、この容器を加熱する容器加熱コイルと、前記鍋の側面を加熱する側面加熱コイルと、前記容器加熱コイルと側面加熱コイルに高周波電流を供給するインバータ回路とを備え、前記容器加熱コイルと側面加熱コイルとを並列に接続し、かつそれぞれお互いの低周波漏洩磁界を打ち消すべく高周波電流を逆向きに流すように接続したものであり、容器加熱コイルと側面加熱コイルから発生する低周波漏洩磁界が逆向きになっているため、互いに低周波漏洩磁界を打ち消すことができ、容器加熱コイルと側面加熱コイルのそれぞれに漏洩磁界キャンセル用のコイルを必要とせず、炊飯器本体の外形を大きくすることなく、低周波漏洩磁界を低減できる誘導加熱式炊飯器を提供することができる。
【００１６】
以下、本発明の実施の形態について、図面を参照しながら説明する。なお、本実施の形態によって本発明が限定されるものではない。
【００１７】
（実施の形態１）
図１は、本発明の実施の形態１における誘導加熱式炊飯器の断面図を示すものである。
【００１８】
図１に示すように、炊飯器本体１は、内部に米と水を入れる鍋２を着脱自在に収納可能な鍋収納部３を設け、この鍋収納部３の外側には鍋２の底面部に対向するように渦巻状に巻かれた底加熱コイル４を配置しており、底加熱コイル４から発生する磁界により鍋２の底部分を誘導加熱するようにしている。さらに、鍋２の側面部に対向するように円筒状に巻かれた側面加熱コイル５を備えており、側面加熱コイル５から発生する磁界により鍋２の側面部分を誘導加熱するようにしている。
【００１９】
炊飯器本体１内に、着脱可能でかつ略有底円筒形で蒸気を生成する水容器（容器）７と、この水容器７を収納する水容器収納部６と、容器加熱コイル８とを有する蒸気発生手段を備えており、容器加熱コイル８の発生する磁界で水容器７を誘導加熱するようにしている。また、側面加熱コイル５と容器加熱コイル８の位置関係は炊飯器本体１の上から見た場合、線対象に配置している。
【００２０】
また、炊飯器本体１の下方部には底加熱コイル４に高周波電流を供給する底インバータ回路１３（図２参照）や側面加熱コイル５と容器加熱コイル８に高周波電流を供給する胴容器インバータ回路１４（図２参照）を搭載する加熱基板１０を配置している。さらに、外蓋の内部には、底インバータ回路や胴容器インバータ回路を制御する制御回路や炊飯器を操作する操作キーを搭載している制御基板９を配置している。
【００２１】
図２は、本発明の実施の形態１における誘導加熱式炊飯器の一部ブロック化した要部回路図を示すものである。
【００２２】
図２に示すように、炊飯器本体１を商用電源１１に接続すると、加熱基板１０上に搭載された全波整流器１２を介して底インバータ回路１３と胴容器インバータ回路（インバータ回路）１４に直流電源が供給される。底インバータ回路１３に底加熱コイル４を接続し、底インバータ回路１３は底加熱コイル４に高周波電流ＩＬ１を供給する。また、胴容器インバータ回路１４に側面加熱コイル５と容器加熱コイル８を直列に接続し、胴容器インバータ回路１４は側面加熱コイル５と容器加熱コイル８に高周波電流ＩＬ２を供給する。
【００２３】
ここで、底加熱コイル４と側面加熱コイル５と容器加熱コイル８は、炊飯器本体１を上部から見たときに巻かれている方向を表示している。すなわち、底加熱コイル４は、高周波電流ＩＬ１が右回りに流れるように巻かれている。また、側面加熱コイル５には高周波電流ＩＬ２が右回りに流れるように巻かれており、容器加熱コイル８には高周波電流ＩＬ２が左回りに流れるように巻かれている。
【００２４】
制御基板９に搭載された制御回路１５は、加熱基板１０上の底インバータ回路１３と胴容器インバータ回路１４の通電状態や発振周波数を制御する。
【００２５】
上記構成においてその動作、作用を説明する。鍋２と水容器７を炊飯器本体１の所定の位置にセットし操作キーを操作すると、制御回路１５は予め設定されている炊飯シーケンスに基づいて鍋２の底部分と側面部分と容器加熱部を加熱するように底インバータ回路１３と胴容器インバータ回路１４の動作を制御する。
【００２６】
制御回路１５は鍋２の側面部分と容器加熱部を加熱制御する際、胴容器インバータ回路１４に駆動信号を送り、胴容器インバータ回路１４が高周波電流ＩＬ２を側面加熱コイル５と容器加熱コイル８に供給する。
【００２７】
このとき、高周波電流ＩＬ２は側面加熱コイル５では炊飯器本体１の上部から見て右回りに流れ、容器加熱コイル８では炊飯器本体１の上部から見て左回りに流れている。
【００２８】
すなわち、側面加熱コイル５と容器加熱コイル８は同一電流を逆向きに流れていることになり、側面加熱コイル５の発生する磁界と容器加熱コイル８の発生する磁界は逆方向になるので、互いに発生する磁界を打ち消しあって炊飯器本体１の外部に漏洩する漏洩磁界を低減することができる。
【００２９】
以上のように、本実施の形態においては、側面加熱コイル５と容器加熱コイル８を直列に接続し、かつ高周波電流ＩＬ２を逆向きに流すように巻かれているので、それぞれ互いの低周波漏洩磁界を打ち消しあうことができ、新たな漏洩磁界キャンセル用のコイルを必要としないので、炊飯器本体１の外形を大きくする必要もなく、容器加熱コイル８と側面加熱コイル５から発生する低周波領域の漏洩磁界を低減することができる。
【００３０】
（実施の形態２）
図３は、本発明の実施の形態２における誘導加熱式炊飯器の一部ブロック化した要部回路図を示すものである。
【００３１】
図３に示すように、炊飯器本体１を商用電源１１に接続すると、加熱基板上に搭載された全波整流器１２を介して底インバータ回路１３と胴容器インバータ回路１４に直流電源が供給される。底インバータ回路１３に底加熱コイル４を接続し、底インバータ回路１３は底加熱コイル４に高周波電流ＩＬ１を供給する。また、胴容器インバータ回路１４に側面加熱コイル５と容器加熱コイル８とを並列に接続し、胴容器インバータ回路１４は高周波電流ＩＬ２を側面加熱コイル５と容器加熱コイル８に供給する。
【００３２】
ここで、底加熱コイル４と側面加熱コイル５と容器加熱コイル８は、炊飯器本体１を上部から見たときに巻かれている方向を表示している。すなわち、底加熱コイル４は、高周波電流ＩＬ１が右回りに流れるように巻かれている。また、側面加熱コイル５には高周波電流ＩＬ２の一部の電流ＩＬ３が右回りに流れるように巻かれており、容器加熱コイル８には高周波電流ＩＬ２から側面加熱コイル５に流れる電流ＩＬ３を引いた電流ＩＬ４が左回りに流れるように巻かれている。
【００３３】
制御基板に搭載された制御回路１５は、加熱基板上の底インバータ回路１３と胴容器インバータ回路１４の通電状態や発振周波数を制御する。他の構成は上記実施の形態１と同じである。
【００３４】
上記構成においてその動作、作用を説明する。鍋２と水容器７を炊飯器本体１の所定の位置にセットし操作キーを操作すると、制御回路１５は予め設定されている炊飯シーケンスに基づいて鍋２の底部分と側面部分と容器加熱部を加熱するように底インバータ回路１３と胴容器インバータ回路１４の動作を制御する。
【００３５】
制御回路１５は鍋２の側面部分と容器加熱部を加熱制御する際、胴容器インバータ回路１４に駆動信号を送り、胴容器インバータ回路１４が高周波電流ＩＬ２を側面加熱コイル５と容器加熱コイル８に供給する。
【００３６】
このとき、高周波電流ＩＬ２の内、電流ＩＬ３は側面加熱コイル５では炊飯器本体１の上部から見て右回りに流れ、高周波電流ＩＬ２から側面加熱コイル５に流れる電流ＩＬ３を引いた電流ＩＬ４は容器加熱コイル８では炊飯器本体１の上部から見て左回りに流れている。
【００３７】
すなわち、側面加熱コイル５に流れる電流ＩＬ３と容器加熱コイル８に流れる電流ＩＬ４は逆向きに流れていることになり、側面加熱コイル５の発生する磁界と容器加熱コイル８の発生する磁界は逆方向になるので、互いに発生する磁界を打ち消しあって炊飯器本体１の外部に漏洩する漏洩磁界を低減することができる。
【００３８】
以上のように、本実施の形態においては、側面加熱コイル５と容器加熱コイル８を並列に接続し、かつ高周波電流ＩＬ３とＩＬ４が逆向きに流れるように巻かれているので、それぞれ互いの低周波漏洩磁界を打ち消しあうことができ、新たな漏洩磁界キャンセル用のコイルを必要としないので、炊飯器本体１の外形を大きくする必要もなく、容器加熱コイル８と側面加熱コイル５から発生する低周波領域の漏洩磁界を低減することができる。
【産業上の利用可能性】
【００３９】
以上のように、本発明にかかる誘導加熱式炊飯器は、容器加熱コイルと側面加熱コイルがそれぞれ互いの低周波漏洩磁界を打ち消しあうので、新たな漏洩磁界キャンセル用のコイルを必要とせず、炊飯器本体の外形を大きくすることなく、容器加熱コイルと側面加熱コイルから発生する低周波領域の漏洩磁界を低減することができるので、鍋と蒸気を生成する容器を誘導加熱により加熱する誘導加熱式炊飯器として有用である。
【図面の簡単な説明】
【００４０】
【図１】本発明の実施の形態１における誘導加熱式炊飯器の断面図
【図２】同誘導加熱式炊飯器の一部ブロック化した要部回路図
【図３】本発明の実施の形態２における誘導加熱式炊飯器の一部ブロック化した要部回路図
【符号の説明】
【００４１】
１  炊飯器本体
２  鍋
５  側面加熱コイル
７  水容器（容器）
８  容器加熱コイル
１４  胴容器インバータ回路（インバータ回路）
【図１】
0004701930.tif 000002
【図２】
0004701930.tif 000003
【図３】
0004701930.tif 000004